(57)【要約】【課題】対向設置されたラック群間の通路を導風路とする電算機室空調システムにおいて、通路の上方を覆う上部遮蔽体を簡単で低コストな構成とし、ラック上方の設備機器のメンテナンスを容易にし、対向するラック群の異なる挙動にも上部遮蔽体を対応させる。【解決手段】対向するラック群３Ｌ間の通路４（導風路）の上方を覆う上部遮蔽体１０が、対向するラック群３Ｌの両上面３ｄに架け渡されて該両上面３ｄに支持されると共に両上面３ｄに移動可能に支持される枠状のフレーム１１と、このフレーム１１に着脱可能に取り付けられると共に前記長さ方向で第一分割体２２及び第二分割体２３に分割されるシート２１とを備える。【選択図】図２
2014052819.tif 000002
【特許請求の範囲】
【請求項１】
通路の両側に設置されて給気面から冷却用空気を給気すると共に排気面から熱を帯びた空気を排気する機器収容ラック群と、空気調和装置とを備え、前記空気調和装置から吹き出された冷却用空気が床下の内部空間を流通して床面に設けられた孔から床上に吹き出され、この冷却用空気が前記ラック群に収容された機器を冷却した後、熱を帯びた空気として前記ラック群の排気面を流動して前記空気調和装置に再び吸引される電算機室空調システムにおいて、
前記通路の上方を覆う上部遮蔽体を備え、
前記上部遮蔽体が、
前記通路を挟んで対向する前記ラック群の両上面に架け渡されて該両上面に支持されると共に、少なくとも前記両上面の一方に移動可能に支持される枠状のフレームと、
前記フレームに着脱可能に取り付けられると共に複数の分割体に分割され、前記複数の分割体の各々の一部が前記フレームに固定的に保持されるシートと、
を備えることを特徴とする電算機室空調システム。
【請求項２】
前記シートが、前記フレームに面ファスナで着脱可能に取り付けられることを特徴とする請求項１に記載の電算機室空調システム。
【請求項３】
前記シートの分割体が、前記フレームに上方から着脱される第一分割体と、前記フレームに下方から着脱される第二分割体とに大別され、前記第一分割体及び第二分割体が交互に並んで配置されることを特徴とする請求項１又は２に記載の電算機室空調システム。
【請求項４】
前記ラック群の上面に固定されて前記フレームの面沿い方向の移動を制限する規制部材を備えることを特徴とする請求項１から３の何れか一項に記載の電算機室空調システム。
【請求項５】
前記ラック群の上面と前記フレームとの間に架設されて前記フレームの移動を制限する第二規制部材を備えることを特徴とする請求項４に記載の電算機室空調システム。
【請求項６】
前記フレームが、前記長さ方向に延びる桁部と、前記長さ方向に直交して延びて前記桁部に連結具を介して着脱可能に連結される梁部と、前記桁部における前記梁部との交差部分から下方に延びると共に前記桁部及び前記梁部に前記連結具を介して着脱可能に連結される脚部とを有することを特徴とする請求項１から５の何れか一項に記載の電算機室空調システム。
【発明の詳細な説明】
【技術分野】
【０００１】
本発明は、電算機室空調システムに関する。
【背景技術】
【０００２】
従来、通信機械室等の電算機室において、複数のＩＴ機器収容ラックが並んでラック群を形成し、このラック群が通路を挟んで対向設置され、ラック群の端部側には空気調和装置が設置されたものがある。このような電算機室の一般的な空調方式では、空気調和装置から吹き出された冷気が二重床内に供給され、この冷気が対向するラック群間の二重床開口パネルを通じて通路内に供給された後、ＩＴ機器に給気されてこれを冷却する。
しかし、二重床開口パネルを通じて通路内に供給された冷気の一部は、ＩＴ機器から排気された暖気と混合され、ＩＴ機器の高温障害や空調の効率低下等を招くことがある。
そこで、ラック群間の通路の端部や天井部等を遮蔽体で覆うことにより、ＩＴ機器から排気された暖気と空気調和装置から吹き出された冷気とが混合しないように構成されたものがある（例えば、特許文献１参照）。
【先行技術文献】
【特許文献】
【０００３】
【特許文献１】特許第３８３５６１５号公報
【発明の概要】
【発明が解決しようとする課題】
【０００４】
ところで、地震時等において対向するラック群が相互に異なる挙動をした場合に、この挙動に前記遮蔽体を追従させるためには、多量の部材を用いた複雑な構造となり易い。また、ラック上方における建物の照明や火災報知器等の設備機器をメンテナンスする際に、通路の上方を覆う上部遮蔽体を取り外すことが考えられるが、上部遮蔽体がパネル材で構成される場合には、パネル材を一枚ずつ取り外すという作業効率の悪さ、取り外し作業時のパネル材の落下等の危険性、取り外したパネル材の置き場の確保等の問題が生じる。
【０００５】
本発明は、上記事情に鑑みてなされたもので、対向設置されたラック群間の通路を導風路とする電算機室空調システムにおいて、通路の上方を覆う上部遮蔽体を簡単で低コストな構成とし、ラック上方の設備機器のメンテナンスを容易にし、対向するラック群の異なる挙動にも上部遮蔽体を対応させることを課題とする。
【課題を解決するための手段】
【０００６】
上記課題の解決手段として、請求項１に記載した発明は、通路の両側に設置されて給気面から冷却用空気を給気すると共に排気面から熱を帯びた空気を排気する機器収容ラック群と、空気調和装置とを備え、前記空気調和装置から吹き出された冷却用空気が床下の内部空間を流通して床面に設けられた孔から床上に吹き出され、この冷却用空気が前記ラック群に収容された機器を冷却した後、熱を帯びた空気として前記ラック群の排気面を流動して前記空気調和装置に再び吸引される電算機室空調システムにおいて、前記通路の上方を覆う上部遮蔽体を備え、前記上部遮蔽体が、前記通路を挟んで対向する前記ラック群の両上面に架け渡されて該両上面に支持されると共に、少なくとも前記両上面の一方に移動可能に支持される枠状のフレームと、前記フレームに着脱可能に取り付けられると共に複数の分割体に分割され、前記複数の分割体の各々の一部が前記フレームに固定的に保持されるシートと、を備えることを特徴とする。
【０００７】
この構成によれば、対向するラック群の両上面に跨ってフレームを載置し、このフレームにシートを取り付けるという簡単な構造によって、上部遮蔽体のコストダウンを図ることができる。また、通路の上方を覆う上部遮蔽体の設置が容易になり、大掛かりな加工等のない簡易な工事となって、工事費用のコストダウンを図ることができる。また、既存のフレーム材及びシート材の流用によるコストダウンを図ることもできる。また、上部遮蔽体にシートを用いることで、パネル材の落下等の危険性を回避することができる。
また、対向するラック群に地震等による異なる挙動が生じても、上部遮蔽体のフレームが対向するラック群の両上面の少なくとも一方に移動可能に支持されることで、フレームが前記異なる挙動を許容しつつ支持され、上部遮蔽体の落下や破損を防止することができる。
また、通路の長さ方向で分割されたシートを分割体毎に着脱することで、上部遮蔽体の開閉を容易にし、ラック上方の設備機器のメンテナンス作業を容易に行うことができる。また、シートの各分割体の一部がフレームに固定されることで、各分割体の一部をフレームに保持したままでフレームから取り外すことが可能となり、設備機器のメンテナンス時にもシートの置き場の確保を不要にすると共に、シートが吸排気口を塞ぐことによる吸排気障害を防止することができる。また、パネル材を用いる場合と比べて、上部遮蔽体の開閉作業を簡単にして作業時間を短縮でき、空調状態を良好に維持することができる。
【０００８】
本発明において、前記シートが、前記フレームに面ファスナで着脱可能に取り付けられる構成であれば、上部遮蔽体の開閉が容易になり、ラック上方の設備機器のメンテナンスをより一層容易にすることができる。
本発明において、前記シートの分割体が、前記フレームに上方から着脱される第一分割体と、前記フレームに下方から着脱される第二分割体とに大別され、前記第一分割体及び第二分割体が交互に並んで配置される構成であれば、複数の分割体を全てフレームの上方又は下方から着脱する場合と比べて、分割体毎の着脱を容易に行うことができる。特に、通路内からシートを着脱する場合、シートの取り付けは第一分割体から第二分割体の順で行えると共に、シートの取り外しは第二分割体から第一分割体の順で行えるため、通路内から全ての分割体の着脱及びシートの開閉を容易に行うことができる。
本発明において、前記ラック群の上面に固定されて前記フレームの面沿い方向の移動を制限する規制部材を備える構成であれば、フレームの過度な面沿い方向の移動によってフレームがラック群から脱落することを防止することができる。
本発明において、前記ラック群の上面と前記フレームとの間に架設されて前記フレームの移動を制限する第二規制部材を備える構成であれば、フレームが前記規制部材を乗り越えてラック群から脱落することを防止することができる。
本発明において、前記フレームが、前記長さ方向に延びる桁部と、前記長さ方向に直交して延びて前記桁部に連結具を介して着脱可能に連結される梁部と、前記桁部における前記梁部との交差部分から下方に延びると共に前記桁部及び前記梁部に前記連結具を介して着脱可能に連結される脚部とを有する構成であれば、既存のフレーム部材を流用してフレームを簡易かつ低コストに形成することを可能とし、かつ対向するラック群のラック数が異なるような場合に脚部を床面へ届く長さのものに交換する等の対応を容易に行うことができる。加えて、対向するラック群の高さが異なるような場合の対応も可能となり、かつラック数が増減した場合の拡張や縮小も容易になる。
【発明の効果】
【０００９】
本発明によれば、対向設置されたラック群間の通路を導風路とする電算機室空調システムにおいて、通路の上方を覆う上部遮蔽体を簡単で低コストな構成とし、ラック上方の設備機器のメンテナンスを容易にし、対向するラック群の異なる挙動にも上部遮蔽体を対応させることができる。
【図面の簡単な説明】
【００１０】
【図１】本発明の実施形態における電算機室空調システムの斜視図である。
【図２】上記電算機空調システムの上部遮蔽体の斜視図である。
【図３】上記上部遮蔽体の分解斜視図である。
【図４】図２のＩＶ−ＩＶ断面図である。
【図５】上記上部遮蔽体のフレームの連結具周辺の斜視図である。
【図６】上記連結具周辺の一部を分解した斜視図である。
【図７】上記連結具に長尺の脚部を取り付けた斜視図である。
【発明を実施するための形態】
【００１１】
以下、本発明の実施形態について図面を参照して説明する。
図１は、建物の電算機室内に構成される電算機室空調システムを示す。電算機室は、床１、不図示の壁および天井に囲まれる。床１の上方には、二重床２が離間して設けられる。二重床２上には、複数のＩＴ機器収容ラック３が設置される。複数のＩＴ機器収容ラック３は、図では半数ずつ二列に並んで一対のラック群３Ｌを形成する。一対のラック群３Ｌは、通路４を挟んで対向設置される。以下、ラック群３Ｌに沿う方向を長さ方向、該長さ方向に直交する方向を幅方向という。
【００１２】
二重床２下の内部空間５には、各ラック３の電気配線（不図示）等が収容される。前記長さ方向で通路４の端部から通路４の延長方向に離間した位置には、二重床２上に空気調和装置６が設置される。空気調和装置６は、その上面の吸込口６ａから室内の空気を吸い込んで冷却する。空気調和装置６が冷却した空気は、空気調和装置６の底面の吹出口６ｂから冷却用空気として二重床２の内部空間５に送出される。空気調和装置６の電気配線も二重床２の内部空間５に収容される。
【００１３】
二重床２の通路４に面する部位は、多数の吹き出し孔が開いた孔開きパネル７とされる。孔開きパネル７からは、二重床２の内部空間５に送出された冷却用空気が通路４内に吹き出される。各ラック３は、その筐体３ａの通路４に面する前面を給気面３ｂとする。各ラック３は、通路４内に吹き出した冷却用空気を給気面３ｂから筐体３ａ内に取り込み、筐体３ａ内に収容したＩＴ機器を冷却する。機器冷却後の暖気は、筐体３ａの上面（または背面）に設けたファン３ｃから上方（または背面方向）に排気される。
【００１４】
ここで、電算機室空調システムの基本作用について説明する。
各ラック３の運転時には、ファン３ｃが動作すると共に、空気調和装置６が運転され、空気調和装置６から吹き出した冷却用空気が二重床２の内部空間５に供給される。内部空間５に供給された冷却用空気は、空気調和装置６の送風圧およびファン３ｃの吸入圧を受けて、床面の孔開きパネル７から通路４内に吹き出し、各ラック３の給気面３ｂから筐体３ａ内に吸入される。筐体３ａ内に吸入された冷却用空気は、筐体３ａ内の発熱機器を冷却した後、筐体３ａの上方または背面方向に放出される。この放出された空気（暖気）は、各ラック３の上方を通って空気調和装置６の吸込口６ａに吸い込まれ、再び冷却用空気となって内部空間５に吹き出される。
【００１５】
各ラック３において、筐体３ａの上面または背面から排気された暖気がそのまま筐体３ａの前面から吸入されないように、対向するラック群３Ｌの上面３ｄ間に渡る上部遮蔽体を設けて通路４の上部を閉塞することが望ましい。また、通路４の前記長さ方向の端部は、通路４内に供給された冷気の放出を抑えるために、対向するラック群３Ｌの端部間に渡る端部遮蔽体を設けて通路４の端部を閉塞することが望ましい。
【００１６】
以下、本実施形態の前記上部遮蔽体１０について説明する。
図２、図３に示すように、上部遮蔽体１０は、通路４を挟んで対向するラック群３Ｌの両上面３ｄに架け渡される枠状のフレーム１１と、フレーム１１に着脱可能に取り付けられて通路４の上部を覆うシート２１とを備える。
【００１７】
フレーム１１は、前記長さ方向に沿って延びる円管状の桁部１２と、前記幅方向に沿って延びて桁部１２に連結具１５を介して着脱可能に連結される円管状の梁部１３と、桁部１２における梁部１３との交差部分から下方に延びると共に桁部１２及び梁部１３に連結具１５を介して着脱可能に連結される円管状の脚部１４とを有する。フレーム１１は、脚部１４をラック群３Ｌの上面３ｄに接地させることで、対向するラック群３Ｌの両上面３ｄに支持される。脚部１４の下端部には、ラック群３Ｌの上面３ｄへの接地面積を確保するための円板脚１４ａが取り付けられる。円板脚１４ａには上面３ｄに対するずれ止め（例えば後述の滑り止めシート１４ｂ）を設けることが好ましい。
【００１８】
図５を併せて参照し、連結具１５には、相互に直交する桁部１２、梁部１３及び脚部１４それぞれの挿通部１５ａ，１５ｂ，１５ｃが形成される。連結具１５は、フレーム１１の前記長さ方向中間部のものと前記長さ方向端部のものとで桁部１２の挿通部１５ａの数が異なる（図２参照）。桁部１２、梁部１３、脚部１４、円板脚１４ａ及び連結具１５は、金属又は樹脂により剛性をもって形成される。
【００１９】
桁部１２は、前記長さ方向でラック群３Ｌと同程度の長さを有し、前記幅方向で離間して一対設けられる。一対の桁部１２は、対向するラック群３Ｌの通路４側の部位の上方にそれぞれ配置される。桁部１２は前記長さ方向で分割されたものであってもよい。この場合、図３に鎖線で示すように、ラック数の増減に伴うフレーム１１の拡張及び縮小が容易になる。
梁部１３は、前記幅方向で一対の桁部１２間に渡る長さを有し、前記長さ方向で離間して複数（本実施形態では五本）設けられる。
脚部１４は、前記長さ方向で梁部１３に対応する位置毎に複数設けられる。
【００２０】
フレーム１１は、対向するラック群３Ｌの両上面３ｄに、上方から載置された状態で支持される。
図５に示すように、フレーム１１の円板脚１４ａは、ラック群３Ｌの上面３ｄにゴム板等の滑り止めシート１４ｂを介して接地する。これにより、ラック群３Ｌに大きな揺れのない平常時において、フレーム１１の水平方向（前記両上面３ｄに沿う面沿い方向）の位置が安定する。
【００２１】
フレーム１１の桁部１２、梁部１３及び脚部１４の上下面には、シート２１を着脱可能に取り付けるための面ファスナ２４，２５が適宜配置される。面ファスナ２４，２５は、例えばＪＩＳ  Ｌ  ３４１６に規定されるもので、両面テープや接着材等によりフレーム１１及びシート２１に固定される。
【００２２】
フレーム１１は、前記両上面３ｄに固定されず載置のみにより支持されるため、地震等によりラック群３Ｌに大きな挙動が生じた際にも、ラック群３Ｌに対して水平移動及び上方移動することが可能である。すなわち、フレーム１１は、対向するラック群３Ｌの両上面３ｄに対して移動可能に支持される。このため、対向するラック群３Ｌが相互に異なる挙動をした場合にも、フレーム１１が変形、破損又は脱落等することなく前記異なる挙動を許容可能である。
【００２３】
図２に示すように、前記両上面３ｄにおけるフレーム１１の脚部１４に前記幅方向で近接する位置には、フレーム１１の前記幅方向の水平移動量を規定するための幅方向ストッパ１６が固設される。幅方向ストッパ１６は、例えばフレーム１１の複数の脚部１４に対応して複数設けられる。この幅方向ストッパ１６により、フレーム１１の前記幅方向の移動量が規定されると共に、フレーム１１の通路４内への脱落が防止される。
【００２４】
前記両上面３ｄにおけるフレーム１１の前記長さ方向端の脚部１４に前記長さ方向で近接する位置には、フレーム１１の前記長さ方向の水平移動量を規定するための長さ方向ストッパ１７が固設される。長さ方向ストッパ１７は、例えばフレーム１１の前記長さ方向端にのみ設けられるが、複数の脚部１４に対応して設けられてもよい。この長さ方向ストッパ１７により、フレーム１１の前記長さ方向の移動量が規定されると共に、フレーム１１の前記長さ方向での脱落が防止される。
【００２５】
各幅方向ストッパ１６と対応する脚部１４との間には、例えば鋼索からなるケーブル１８が弛みをもって架け渡される。このケーブル１８により、フレーム１１の万が一の落下が防止される。すなわち、ケーブル１８は、地震等によりフレーム１１がラック群３Ｌに突き上げられてラック群３Ｌの上面３ｄから離間し、各ストッパ１６，１７を乗り越えてしまった場合にも、フレーム１１が落下することを防止する。
【００２６】
図３に示すように、シート２１は、フレーム１１の一対の桁部１２間に渡る矩形状の天板部２１ａと、天板部２１ａの前記幅方向両端から下方に屈曲して延びる側板部２１ｂとを有する。シート２１は、例えば可撓性及び強度並びにある程度の気密性を有するシート材からなる。シート２１は、前記長さ方向で複数の分割体に分割される。以下、図中左上の分割体を第一分割体２２、図中右下の分割体を第二分割体２３という。
【００２７】
図４、図５を併せて参照し、第一分割体２２は、フレーム１１の外側から桁部１２、梁部１３及び脚部１４に面ファスナ２４で着脱可能に取り付けられる。一方、第二分割体２３は、フレーム１１の内側から桁部１２、梁部１３及び脚部１４に面ファスナ２５で着脱可能に取り付けられる。図５中符号２６は面ファスナ２４，２５の端部がフレーム１１から剥離することを防止する結束バンドを示す。
【００２８】
第一分割体２２の第二分割体２３側の縁部２２ａは、前記長さ方向で同一位置にある梁部１３及び脚部１４にフレーム１１の外側から重なり、該梁部１３及び脚部１４にフレーム１１の外側から面ファスナ２４により取り付けられる。一方、第二分割体２３の第一分割体２２側の縁部２３ａは、前記梁部１３及び脚部１４にフレーム１１の内側から重なり、該梁部１３及び脚部１４にフレーム１１の内側から面ファスナ２５により取り付けられる。
【００２９】
図４を参照し、第一分割体２２及び第二分割体２３の他方側の縁部２２ａ，２３ａは、それぞれ梁部１３に巻き付くように取り付けられる。第一分割体２２を梁部１３に取り付けるための面ファスナ２４は、梁部１３のフレーム１１外側の端縁１３ａから第二分割体２３側へ、梁部１３の外周面に沿って設けられる。第二分割体２３を梁部１３に取り付けるための面ファスナ２５は、梁部１３のフレーム１１内側の端縁１３ｂから第一分割体２２側へ、梁部１３の外周面に沿って設けられる。
【００３０】
面ファスナ２４，２５は、梁部１３のフレーム１１内外の端縁１３ａ，１３ｂから該端縁１３ａ，１３ｂに取り付く分割体の短縮方向へ延びる領域を有していても、シート２１に前記長さ方向の引っ張り力が作用すると、前記領域に剥離方向の力が作用するため、分割体の取り付け強度を高める効果が薄い。面ファスナ２４，２５は、図４に示す如く、梁部１３のフレーム１１内外の端縁１３ａ，１３ｂから該端縁１３ａ，１３ｂに取り付く分割体の延長方向へ延びる領域に設けると、シート２１に前記長さ方向の引っ張り力が作用した際、前記領域には比較的剥がれ難いせん断方向の力が作用するため、面ファスナ２４，２５の面積を抑えた上で効率よく分割体の取り付け強度を高めることができる。
【００３１】
図２、図３に示すように、フレーム１１において、前記長さ方向で隣り合う梁部１３及び脚部１４の間を一区画とすると、第一分割体２２及び第二分割体２３は、フレーム１１の二区画に渡るように設けられる。第一分割体２２及び第二分割体２３の前記長さ方向の中央部２２ｂ，２３ｂは、それぞれと重なる位置にある梁部１３及び脚部１４に、例えば接着や締結具等により固定的に保持される。これにより、第一分割体２２及び第二分割体２３の前記縁部２２ａ，２３ａをフレーム１１から取り外した際にも、第一分割体２２及び第二分割体２３がフレーム１１に保持された状態を維持する。
【００３２】
図６に示すように、連結具１５の各挿通部１５ａ，１５ｂ，１５ｃと該各挿通部１５ａ，１５ｂ，１５ｃに挿通された桁部１２、梁部１３及び脚部１４との固定は、例えば各挿通部１５ａ，１５ｂ，１５ｃと桁部１２、梁部１３及び脚部１４とに跨って粘着テープ１９を巻き付けるのみでなされる。この粘着テープ１９を取り外せば、連結具１５の各挿通部１５ａ，１５ｂ，１５ｃと桁部１２、梁部１３及び脚部１４とが分離可能となり、例えば図７に示すように、脚部１４を異なる長さの脚部１４’に交換するといった対応も容易であり、かつ図３に鎖線で示すように、フレーム１１の拡張及び縮小も容易である。なお、図６の桁部１２は連結具１５を挟んで分割された構成を示す。
【００３３】
以上説明したように、上記実施形態における電算機室空調システムは、対向するラック群３Ｌ間の通路４（導風路）の上方を覆う上部遮蔽体１０が、対向するラック群３Ｌの両上面３ｄに架け渡されて該両上面３ｄに支持されると共に両上面３ｄに移動可能に支持される枠状のフレーム１１と、このフレーム１１に着脱可能に取り付けられると共に前記長さ方向で第一分割体２２及び第二分割体２３に分割されるシート２１とを備えるものである。
【００３４】
この構成によれば、対向するラック群３Ｌの両上面３ｄに跨ってフレーム１１を載置し、このフレーム１１にシート２１を取り付けるという簡単な構造によって、上部遮蔽体１０のコストダウンを図ることができる。また、通路４の上方を覆う上部遮蔽体１０の設置が容易になり、大掛かりな加工等のない簡易な工事となって、工事費用のコストダウンを図ることができる。また、既存のフレーム材及びシート材の流用によるコストダウンを図ることもできる。また、上部遮蔽体１０にシート２１を用いることで、パネル材の落下等の危険性を回避することができる。
また、対向するラック群３Ｌに地震等による異なる挙動が生じても、上部遮蔽体１０のフレーム１１が対向するラック群３Ｌの両上面３ｄの少なくとも一方に移動可能に支持されることで、フレーム１１が前記異なる挙動を許容しつつ支持され、上部遮蔽体１０の落下や破損を防止することができる。
【００３５】
また、通路４の前記長さ方向で分割されたシート２１を分割体毎に着脱することで、上部遮蔽体１０の開閉を容易にし、ラック上方の設備機器のメンテナンス作業を容易に行うことができる。また、シート２１の第一分割体２２及び第二分割体２３の一部がフレーム１１に固定されることで、第一分割体２２及び第二分割体２３の一部をフレーム１１に保持したままでフレーム１１から取り外すことが可能となり、設備機器のメンテナンス時にもシート２１の置き場の確保を不要にすると共に、シート２１が吸排気口を塞ぐことによる吸排気障害を防止することができる。また、パネル材を用いる場合と比べて、上部遮蔽体１０の開閉作業を簡単にして作業時間を短縮でき、空調状態を良好に維持することができる。
【００３６】
また、シート２１がフレーム１１に面ファスナ２４，２５で着脱可能に取り付けられることで、上部遮蔽体１０の開閉が容易になり、ラック上方の設備機器のメンテナンスをより一層容易にすることができる。
また、シート２１が、フレーム１１に上方から着脱される第一分割体２２と、前記フレーム１１に下方から着脱される第二分割体２３とが、交互に並んで配置されることで、複数の分割体を全てフレーム１１の上方又は下方から着脱する場合と比べて、分割体毎の着脱を容易に行うことができる。特に、通路４内からシート２１を着脱する場合、シート２１の取り付けは第一分割体２２から第二分割体２３の順で行えると共に、シート２１の取り外しは第二分割体２３から第一分割体２２の順で行えるため、通路４内から全ての分割体の着脱及びシート２１の開閉を容易に行うことができる。
【００３７】
また、前記対向するラック群３Ｌの両上面３ｄに固定されてフレーム１１の面沿い方向の移動を制限する幅方向ストッパ１６及び長さ方向ストッパ１７を備えることで、フレーム１１の過度な面沿い方向の移動によってフレーム１１がラック群３Ｌから脱落することを防止することができる。
また、前記対向するラック群３Ｌの両上面３ｄと前記フレーム１１との間に架設されて前記フレーム１１の移動を制限するケーブル１８を備えることで、フレーム１１が前記各ストッパ１６，１７を乗り越えてラック群３Ｌから脱落することを防止することができる。
【００３８】
また、フレーム１１が、前記長さ方向に延びる桁部１２と、前記幅方向に延びて桁部１２に連結具１５を介して着脱可能に連結される梁部１３と、桁部１２における梁部１３との交差部分から下方に延びると共に桁部１２及び梁部１３に連結具１５を介して着脱可能に連結される脚部１４とを有することで、既存のフレーム部材を流用してフレーム１１を簡易かつ低コストに形成することを可能とし、かつ対向するラック群３Ｌでラック数が異なるような場合に脚部１４を床面へ届く長さのものに交換する等の対応を容易に行うことができる。加えて、対向するラック群３Ｌの高さが異なるような場合の対応も可能となり、かつラック数が増減した場合の拡張や縮小も容易になる。
【００３９】
なお、本発明は上記実施形態に限られるものではなく、例えば、フレーム１１の各要素は、円形断面に限らず角形断面等であってもよい。フレーム１１に対するシート２１の取り付けは、面ファスナの他にもマグネットや吸盤、クランプ機構等の手段を採用してもよい。
フレーム１１が両上面３ｄに移動可能に支持される構成に限らず、フレーム１１が両上面３ｄの一方のみに移動可能に支持されて両上面３ｄの他方には固定された構成としもよい。
シート２１が三つ以上の複数の分割体に分割される場合、これら複数の分割体を、フレーム１１に上方から着脱される第一分割体と、フレーム１１に下方から着脱される第二分割体とに大別し、これら第一分割体及び第二分割体を、前記長さ方向で交互に並べて配置した構成としてもよい。
シート２１が、天板部２１ａの前記長さ方向両端縁から下方に延びる立板部を一体的に有する構成としてもよい。この場合、前記立板部は、通路４の端部を閉塞する端部遮蔽体に連結することが望ましい。
通路４に冷却用空気ではなく排気された暖気を流通させる構成でもよい。この場合、ラック群３Ｌの通路４に臨む面、あるいは上部遮蔽体１０に覆われる面が排気面となる。
そして、上記実施形態における構成は本発明の一例であり、当該発明の要旨を逸脱しない範囲で種々の変更が可能である。
【符号の説明】
【００４０】
３Ｌ  ラック群（機器収容ラック群）
３ｂ  給気面
３ｄ  上面（排気面）
４  通路
６  空気調和装置
５  内部空間
１０  上部遮蔽体
１１  フレーム
１２  桁部
１３  梁部
１４  脚部
１４ｂ  滑り止めシート
１５  連結具
１６  幅方向ストッパ（規制部材）
１７  長さ方向ストッパ（規制部材）
１８  ケーブル（第二規制部材）
２１  シート
２２  第一分割体
２３  第二分割体
２４，２５  面ファスナ
【図１】
2014052819.tif 000003
【図２】
2014052819.tif 000004
【図３】
2014052819.tif 000005
【図４】
2014052819.tif 000006
【図５】
2014052819.tif 000007
【図６】
2014052819.tif 000008
【図７】
2014052819.tif 000009